(57)【要約】      （修正有）【課題】信号波の放射を強化するのに役立ち、電波を安定させ、更に信号の有効伝導距離を延ばすエレベータ無線デジタル画像伝送装置を提供する。【解決手段】エレベータ無線デジタル画像伝送装置は、主にエレベータかご２１内部の無線デジタル画像信号の伝送強化と伝導距離を延長する無線伝送装置であって、少なくとも撮影モジュール１、送信アンテナ３、受信アンテナ４および制御組部材５を有する。送信アンテナは、軸方向にラセン状に巻回されることにより等距離設置された金属線を有し、金属線によって信号波の放射能力を高め、支持フレーム底部から別端まで軸方向に円偏波を生成する。【選択図】図２
0003223842.tif 000002
【実用新案登録請求の範囲】
【請求項１】
エレベータ無線デジタル画像伝送装置において、少なくとも、
エレベータのエレベータかご内部に設け、前記エレベータかご内部の画像をキャプチャーーして前記画像をデジタル画像信号に変換して伝送する撮影モジュールと、
無線式信号で前記撮影モジュールに連接し、前記撮影モジュールが伝送したデジタル画像信号を受信し、前記エレベータかご外端部に設けた底台、前記底台に固定した支持フレーム、金属線、および外カバー部材を有し、前記支持フレームは相互平行もしくは垂直設置の第一片体と第二片体を有し、前記第一片体と前記第二片体の両側部は複数個の等距離に配列した第一穿孔と第二穿孔がそれぞれ穿設され、前記金属線は前記第一穿孔と前記第二穿孔の順に挿入設置し、前記外カバー部材は前記支持フレームの外端部に被せて前記底台上で固定する送信アンテナと、
無線式で前記送信アンテナに電気連接し、送信したデジタル画像信号を受信し、内部に納置空間を形成する箱体、前記納置空間内に設ける扁平薄板および前記箱体に蓋をする蓋片を有する受信アンテナと、
前記エレベータの外部に設け、信号線で前記受信アンテナを電気連接して前記デジタル画像信号を受信し、ディスプレイモジュールおよび記憶モジュールを有し、そのうちディスプレイモジュールは前記受信アンテナが受信したデジタル画像信号を表示し、前記記憶モジュールは前記デジタル画像信号を保存する制御組部材と、を有することを特徴とするエレベータ無線デジタル画像伝送装置。
【考案の詳細な説明】
【技術分野】
【０００１】
本考案はエレベータ無線デジタル画像伝送装置に関するもので、特にエレベータかご内部の無線デジタル画像信号の伝送強化と伝導距離を延長する無線伝送装置に係る。
【背景技術】
【０００２】
エレベータは人々が日常生活で度々利用される移動式の乗物であり、更にエレベータは上下直線移動の特徴を備えるだけでなく、階段よりもスピーディーに各階へ移動でき、その際の時間と体力を減らすことができ、人だけでなく貨物も搭載できるので、現代の建物において、欠くことができない需要な設備である。またエレベータかご内の安全制御の必要を満たすため、一般にエレベータかご内に監視システムを追加設置し、それは主に外部から監視システムを通じてエレベータかご内部の状況を監視する。エレベータかご内部に特殊状況が発生した時、外部と通話要求を発し、外部返答を通じて双方通信を連結し、外部は監視システムを経てエレベータかご内部の画像を取得し、これらによって、サポートや即時問題解決が可能になる。
一般的なエレベータ内部に設けた監視システムは図１に示すとおりで、それは公知のエレベータ画像伝送装置の装置全体を設置した指示図である。それは以下を含み、撮影装置ＡはエレベータＢのエレベータかごＣ内に設置し、該エレベータＢの外部には制御組部材Ｄを設置する。また公知の撮影装置Ａは複数本の信号線Ｅによって外部の制御組部材Ｄに連接して表示、保存する。
該撮影装置Ａは該エレベータかごＣの内部に設置し、該エレベータかごＣと共に上下移動するのに合わせて該撮影装置Ａも上下運動するのは当然であり、該複数の信号線Ｅも動力を供給するケーブルと一体である必要がある。
【考案の概要】
【考案が解決しようとする課題】
【０００３】
該撮影装置Ａの連接線には必要性があるが、該複数の信号線Ｅと該エレベータかごＣに用いるケーブルは一つに結合されているが、その他電線と一つにまとめられて一つにされているので、複数の信号線Ｅが画像信号を伝送する時、その他多種の電線の信号との間に信号干渉が発生しやすくなる。
更に付属のケーブルと一つに縛られているため、設置およびメンテナンスがやりにくく、総費用も高くなってしまう。
拠って、いかにして革新的なハード設計を用い、アンテナの設置で確実に伝送電波を安定させ、更に信号の有効伝導距離を延ばすかは、エレベータの監視システムの製作と販売等関連産業の開発業者と関連研究員が克服解決しなければならない課題である。
【課題を解決するための手段】
【０００４】
考案者はこれらを鑑み、豊富なプロフェッショナルな知識と長年の実務経験をもとに、有線の伝送から無線に変え、回路の設置やメンテナンスの必要がなく、且つ回路を原因としたデジタル画像信号に影響を与えず、画像の歪みをなくし、信号波の放射を強化するのに役立ち、電波を安定させ、その他信号の干渉を有効に下げられるエレベータ無線デジタル画像伝送装置を提供することを主な目的とする。
【０００５】
本考案の次の目的は、エレベータかご内部の無線デジタル画像信号の伝送強化と伝導距離を延長する無線伝送装置を提供することであり、主に送信アンテナ内臓の等距離設置された金属線によって信号波の放射能力を高め、信号波によって支持フレーム底部から別端まで軸方向に円偏波が生成され、信号波の放射を強化するのに役立ち、電波を安定させ、更に信号の有効伝導距離を延ばす。
【０００６】
少なくとも撮影モジュール、送信アンテナ、受信アンテナおよび制御組部材を有するエレベータ無線デジタル画像伝送装置を提供することを本考案の目的とする。
撮影モジュールはエレベータのエレベータかご内部に設け、撮影モジュールはエレベータかご内部の画像を取り込み、画像をデジタル画像信号に転換して伝送する。
送信アンテナは無線式信号で撮影モジュールを連接して撮影モジュールが伝送したデジタル画像信号を受信する。送信アンテナはエレベータかご外端部に設けた底台、底台に固定した支持フレーム、金属線、金属シートおよび外カバー部材を有し、支持フレームは第一片体と第二片体を有し、第一片体と第二片体の両側部は複数個の等距離配列した第一穿孔と第二穿孔がそれぞれ穿設される。金属線は第一穿孔と第二穿孔に順番に挿入設置し、金属シートは金属線上に貼り付けて底台に近く隙間を備え、底台との間には隙間を備える。外カバー部材は支持フレームの外端部に被せて底台に固定する。
受信アンテナは無線式信号で送信アンテナに連接して送信アンテナが伝送したデジタル画像信号を受信する。受信アンテナは内部に納置空間を形成する箱体、納置空間内にそれぞれ設けた扁平薄板とウェーブガイドおよび箱体に設けた蓋片を有する。
制御組部材はエレベータの外部に設け、信号線で受信アンテナに電気連接してデジタル画像信号を受信する。制御組部材はディスプレイモジュールおよび記憶モジュールを有し、そのうちディスプレイモジュールは受信アンテナが受信したデジタル画像信号を表示し、記憶モジュールはデジタル画像信号を保存する。
【０００７】
本考案の一実施例において、信号線は更に増幅器を設け、受信したデジタル画像信号を増幅させる。
【０００８】
本考案の一実施例において、金属線は銅線であり、銅線によって一部の外界電磁波干渉を防御でき、更にネットワーク伝送の安定を保つ。
【０００９】
本考案のエレベータ無線デジタル画像伝送装置は、更に制御組部材で複数個のエレベータかごの受信アンテナを電気連接し、エレベータかご内のデジタル画像信号を受信することで、低い設置コストで、すべてのエレベータかごの安全監視效果を確実にする。
【考案の効果】
【００１０】
本考案のエレベータ無線デジタル画像伝送装置は、上述の実施説明から分かるとおり、以下の利点がある。
【００１１】
エレベータかご内部の無線デジタル画像信号の伝送距離を延ばし、無線が有線の伝送に取って代わり、回路を設置したりメンテナンスする必要がなく、且つ回路が原因でデジタル画像信号に影響を与えることなく、画像がゆがむこともない。信号波の放射を強化するのに役立ち、電波を安定させ、その他信号の干渉を有効に下げられる。
【００１２】
送信アンテナ内臓の等距離で設置した金属線によって信号波放射の能力が強化されることで信号波が支持フレーム底部から別端まで軸方向に円偏波が生成され、信号波の放射を強化するのに役立ち、電波を安定させて更に信号の有効伝導距離を延ばす。
【００１３】
一つの制御組部材で複数個のエレベータかごの受信アンテナを電気連接してエレベータかご内のデジタル画像信号を受信し、設置コストが低くなり、すべてのエレベータかごの安全監視效果を確実にする。
【図面の簡単な説明】
【００１４】
【図１】公知のエレベータ画像伝送装置の装置全体を設置した指示図である。
【図２】本考案の第一実施例の装置全体を設置した指示図である。
【図３】本考案の第一実施例の送信アンテナアーキテクチャ指示図である。
【図４】本考案の第一実施例の送信アンテナ分解指示図である。
【図５】本考案の第一実施例の外カバー部材設置指示図である。
【図６】本考案の第一実施例の金属シート設置指示図である。
【図７】本考案の第一実施例の受信アンテナ分解指示図である。
【図８】本考案の良好な第一実施例の送信アンテナと受信アンテナ稼働指示図である。
【図９】本考案の第二実施例の装置全体を設置した指示図である。
【図１０】本考案の第三実施例の装置全体を設置した指示図である。
【図１１】本考案の第四実施例の装置全体を設置した指示図である。
【考案を実施するための形態】
【実施例１】
【００１５】
先ず、図２から図８に示すのは、本考案のエレベータ無線デジタル画像伝送装置の良好な第一実施例の装置全体を設置した指示図、送信アンテナアーキテクチャ指示図、送信アンテナ分解指示図、外カバー部材設置指示図、金属シート設置指示図、受信アンテナ分解指示図および送信アンテナと受信アンテナ稼働指示図である。そのうち本考案のエレベータ無線デジタル画像伝送装置は少なくとも以下を有する。
【００１６】
撮影モジュール１は、エレベータ２のエレベータかご２１内部に設け、該撮影モジュール１は該エレベータかご２１内部の画像をキャプチャーして該画像をデジタル画像信号に変換して伝送する。
本考案の良好な第一実施例において、エレベータ２はエレベータシャフト２２を有し、また該エレベータかご２１は該エレベータシャフト２２内に設置する。そのうち該撮影モジュール１は該エレベータかご２１内部に設け、該エレベータかご２１内部の画像をキャプチャーするのに用い、更に該画像を該デジタル画像信号に変換し該エレベータかご２１から伝送する。
【００１７】
送信アンテナ３は、無線式信号で該撮影モジュール１に連接し、該無線式はＷｉＦｉであるか、もしくは周波数変調（ＦＭ）、もしくは周波数変調（ＡＭ）、もしくは赤外線、もしくはレーザー、もしくはスペクトルである。そのうち任意の一種の画像信号で、もしくはビデオ信号等無線伝送方式で伝送し、該撮影モジュール１が伝送したデジタル画像信号を受信する。該送信アンテナ３は該エレベータかご２１外端部に設けた底台３１、該底台３１に固定した支持フレーム３２、金属線３３、金属シート３４および外カバー部材３５を有する。該支持フレーム３２は第一片体３２１と第二片体３２２を有し、そのうち該第一片体３２１と該第二片体３２２は相互垂直もしくは相互平行の形態とする。故に以下は相互垂直の形態で説明する。該第一片体３２１と該第二片体３２２の両側部は複数個の等距離配列した第一穿孔３２１１と第二穿孔３２２１がそれぞれ穿設される。該金属線３３は該第一穿孔３２１１と該第二穿孔３２２１の順に挿入設置し、支持フレーム３２外端部を螺旋形態に形成する。該金属シート３４は該金属線３３上に貼り付け且つ該底台３１に近づける。また該外カバー部材３５は該支持フレーム３２の外端部に被せて該底台３１上で固定する。
そのうち、該送信アンテナ３は平板の形態（例として図１１参照）もしくは棒状体の形態とするが、それに制限されない。
本考案の良好な第一実施例において、該送信アンテナ３が棒状形態の時、該送信アンテナ３は該底台３１、該支持フレーム３２、該金属線３３、該金属シート３４および該外カバー部材３５を組み合わせて構成する。そのうち該底台３１は該エレベータかご２１の下端部に設け、また該支持フレーム３２は該底台３１に固定して該底台３１と平行設置するか（図未提示）もしくは垂直設置する。更に該底台３１は該支持フレーム３２周囲の囲い部３１１に環状設置し、また該支持フレーム３２は相互平行（図未提示）もしくは垂直設置の第一片体３２１と第二片体３２２であり、該第一片体３２１と該第二片体３２２の両側部は複数個の等距離配列した第一穿孔３２１１と第二穿孔３２２１がそれぞれ穿設される。該金属線３３は該第一穿孔３２１１と該第二穿孔３２２１の順に挿入設置し、支持フレーム３２外端部を螺旋形態に形成する。それらにより、該金属線３３は該支持フレーム３２に挿入すると等距離螺旋の巻数を達成でき、組立が便利である。更に該送信アンテナ３は該複数の等距離螺旋の金属線３３により信号波の放射を強化するのに役立つ。更に該金属線３３は銅の導線であるため、銅線によって一部の外界電磁波干渉を防御でき、更にネットワーク伝送の安定を保つ。該信号波は該支持フレーム３２底部から別端まで軸方向に円偏波が生成され、信号波の放射を強化するのに役立ち、更に電波を安定させ、信号の有効伝導距離を延ばし、更にその他信号干渉を有効に下げる効果を達成する。
該金属シート３４は該金属線３３上に貼り付け且つ該底台３１に近づける。該支持フレーム３２の外端部は該外カバー部材３５を被せ且つ該外カバー部材３５は該底台３１上に固定する。すなわち該金属線３３上に設置した金属シート３４は、該底台３１の位置に近いので、電波の細部は該金属線３３によって該支持フレーム３２底端から別端まで円偏波を生成して伝導し、該金属シート３４から電磁波を吸収し、電磁波裁断面積を拡げ、更に電磁波は螺旋状の金属線３３方向へ反射するため、該金属線３３によって電磁波が伝導されて増加し且つ伝導範囲が拡がり、電磁波放射信号の伝送効率を向上させる助けとなり、該送信アンテナ３の信号全体をさらに遠い伝送距離を伝送でき、その他信号の干渉を有効に下げる。
【００１８】
受信アンテナ４は、無線式で該送信アンテナ３に電気連接し、該送信アンテナ３が送信したデジタル画像信号を受信し、該受信アンテナ４は内部に納置空間を形成する（図未提示）箱体４１、該納置空間内にそれぞれ設ける扁平薄板４２とウェーブガイド４３および該箱体４１に蓋をするための蓋片４４を有する。
本考案の良好な第一実施例において、該受信アンテナ４は該箱体４１と該蓋片４４が対応して構成され、また該箱体４１内部には該扁平薄板４２と該ウェーブガイド４３を設け、そのうち該扁平薄板４２は該ウェーブガイド４３で信号を安定して受信する能力が更に向上する。他に、
【００１９】
制御組部材５は該エレベータ２の外部に設け、信号線５１で該受信アンテナ４を電気連接し該デジタル画像信号を受信する。該制御組部材５はディスプレイモジュール５２および記憶モジュール５３を有し、そのうち該ディスプレイモジュール５２は該受信アンテナ４が受信したデジタル画像信号を表示し、また該記憶モジュール５３は該デジタル画像信号を保存する。
その他、該信号線５１は更に増幅器５４を設け、受信したデジタル画像信号を増幅させる。
本考案の良好な第一実施例において、該エレベータ２外部に設けた制御組部材５は該信号線５１で該受信アンテナ４に電気連接し該デジタル画像信号を受信する。また該制御組部材５に内蔵されたディスプレイモジュール５２と該記憶モジュール５３は該受信アンテナ４が受信したデジタル画像信号を表示および記憶する。
【実施例２】
【００２０】
図９に示すのは、本考案のエレベータ無線デジタル画像伝送装置の良好な第二実施例の装置全体を設置した指示図である。そのうち該信号線５１は更に増幅器５４を設け、該受信アンテナ４から受信したデジタル画像信号を増幅し、該ディスプレイモジュール５２に表示しやすくする。
【実施例３】
【００２１】
その他、合わせて図１０に示すのは、本考案のエレベータ無線デジタル画像伝送装置の良好な第三実施例の装置全体を設置した指示図である。そのうち該制御組部材５は二本の受信アンテナ４が伝送したデジタル画像信号をそれぞれ受信し、つまり仮に一つの建物に同時に複数個のエレベータ２が設置された場合、中央制御室に制御組部材５を一つだけ設置して該複数のエレベータ２の受信アンテナ４を電気連接すればよく、複数個のエレベータかご２１内の画像によって安全監視効果を達成できる。
【実施例４】
【００２２】
図１１に示すのは、本考案の良好な第四実施例の装置全体を設置した指示図である。そのうち、本考案のエレベータ無線デジタル画像伝送装置の該送信アンテナ３は平板の形態であり、無線伝送方式でデジタル画像信号を伝送する。このように製造コスト全体を有効に下げることによって、デジタル画像信号が安定して伝送されるという優位性を達成する。
【００２３】
上述のとおり、本考案のエレベータ無線デジタル画像伝送装置は、上述の実施例に示すとおり、確かに予定の使用効果を達成する。更に上述の図式および説明は、本考案の良好な実施例のためにすぎず、本考案の請求範囲を制限するものではない。
当領域に習熟した者が本考案の特徴に基づき実施したその他同効果もしくは修飾は、すべて本考案の請求範囲に属する。
【符号の説明】
【００２４】
（公知）
Ａ          撮影装置
Ｂ          エレベータ
Ｃ          エレベータかご
Ｄ          制御組部材
Ｅ          信号線
（本考案）
１          撮影モジュール
２          エレベータ
２１        エレベータかご
２２        エレベータシャフト
３          送信アンテナ
３１        底台
３１１      囲い部
３２        支持フレーム
３２１      第一片体
３２１１    第一穿孔
３２２      第二片体
３２２１    第二穿孔
３３        金属線
３４        金属シート
３５        外カバー部材
４          受信アンテナ
４１        箱体
４２        扁平薄板
４３        ウェーブガイド
４４        蓋片
５          制御組部材
５１        信号線
５２        ディスプレイモジュール
５３        記憶モジュール
５４        増幅器
【図１】
0003223842.tif 000003
【図２】
0003223842.tif 000004
【図３】
0003223842.tif 000005
【図４】
0003223842.tif 000006
【図５】
0003223842.tif 000007
【図６】
0003223842.tif 000008
【図７】
0003223842.tif 000009
【図８】
0003223842.tif 000010
【図９】
0003223842.tif 000011
【図１０】
0003223842.tif 000012
【図１１】
0003223842.tif 000013